(57)【要約】  【課題】映像／音声の出力が自動調整されるディスク装置一体型テレビジョン受像機を提供する。  【解決手段】メモリー４５には、映像および音声の出力の標準値と共に、テレビ、ディスクの種別、ディスク種別の内の特定種別のデータ種別、およびディスクのシリアル番号ごとに映像および音声の出力の補正値が記憶されている。ディスクが再生される場合には、上記ディスクの種別、データ種別およびシリアル番号の内、該当するものの補正値がメモリー４５から読み出され、それが標準値に加算され、加算結果である現在値に基づいて映像および音声の出力が調整される。【選択図】  図２
2005191927.tif 000002
【特許請求の範囲】
【請求項１】
映像および／または音声が記録されたディスクのデータを再生するディスク装置と、ディスク装置により再生された信号または放送信号のいずれかの映像を表示する映像出力部および音声を出力する音声出力部を備えたテレビジョン受像機とからなるディスク装置一体型テレビジョン受像機において、
前記ディスク装置は、その動作を制御する制御部を備え、
前記テレビジョン受像機は、その動作を制御する制御部と、ディスクの種別ごとの映像および／または音声の調整値と、放送信号の映像および音声の調整値とを記憶する記憶部とを備え、
前記ディスク装置の制御部は、再生されるディスクの種別を判別し、当該ディスク種別を前記テレビジョン受像機の制御部に送信し、
前記テレビジョン受像機の制御部は、前記ディスク種別を受信したときは前記受信したディスク種別に対応する前記記憶部中の調整値に基づいて前記映像出力部および／または音声出力部の出力を調整し、放送信号の出力中においては前記記憶部中の放送信号の調整値に基づいて前記映像出力部および音声出力部の出力を調整することを特徴とするディスク装置一体型テレビジョン受像機。
【請求項２】
映像および／または音声が記録されたディスクのデータを再生するディスク装置と、ディスク装置により再生された信号または放送信号のいずれかの映像を表示する映像出力部および音声を出力する音声出力部を備えたテレビジョン受像機とからなるディスク装置一体型テレビジョン受像機において、
前記ディスク装置およびテレビジョン受像機の動作を制御する制御部と、ディスクの種別ごとの映像および／または音声の調整値を記憶する記憶部とを備え、
前記制御部は、再生されるディスクの種別を判別し、前記判別されたディスク種別に対応する前記記憶部中の調整値に基づいて前記映像出力部および／または音声出力部の出力を調整することを特徴とするディスク装置一体型テレビジョン受像機。
【請求項３】
請求項２に記載のディスク装置一体型テレビジョン受像機において、前記記憶部は、更に特定の種別のディスクのデータ種別ごとの映像および／または音声の調整値を記憶し、前記判別されたディスク種別が特定の種別である場合には、前記制御部は、当該ディスク種別の調整値または前記データ種別に対応する調整値のいずれかに基づいて前記映像出力部および／または音声出力部の出力を調整することを特徴とするディスク装置一体型テレビジョン受像機。
【請求項４】
請求項３に記載のディスク装置一体型テレビジョン受像機において、前記判別されたディスク種別が特定の種別である場合には、前記制御部は複数のデータ種別を表すメッセージを前記映像出力部に表示し、操作部により指定されたデータ種別に対応する調整値に基づいて前記映像出力部および／または音声出力部の出力を調整することを特徴とするディスク装置一体型テレビジョン受像機。
【請求項５】
請求項２に記載のディスク装置一体型テレビジョン受像機において、前記記憶部は、更に複数のディスクのシリアル番号とシリアル番号ごとの映像および／または音声の調整値を記憶し、前記制御部は再生されるディスクのシリアル番号と前記記憶部中のシリアル番号とを照合し、両シリアル番号が一致する場合には当該シリアル番号の調整値に基づいて前記映像出力部および／または音声出力部の出力を調整することを特徴とするディスク装置一体型テレビジョン受像機。
【請求項６】
請求項５に記載のディスク装置一体型テレビジョン受像機において、前記制御部は、前記各シリアル番号の履歴を管理し、新たなシリアル番号を前記記憶部に登録する際には、前記履歴に基づいて前記記憶部から所定のシリアル番号および当該シリアル番号に対応する前記調整値を削除することを特徴とするディスク装置一体型テレビジョン受像機。
【発明の詳細な説明】
【技術分野】
【０００１】
本発明は、ディスク装置一体型テレビジョン受像機に関するものである。
【背景技術】
【０００２】
最近のディスク装置は、ＤＶＤ、ＣＤ、ＶＣＤ（ビデオＣＤ）、ＳＶＣＤ（スーパービデオＣＤ）等の各種の記録媒体を再生できるようになっている。また、各記録媒体には、洋画、邦画、アニメ、カラオケの背景画像等の各種のジャンルの映像、および音楽、日本語、英語等の音声も含まれている。この場合、記録媒体の種類または映像／音声の内容に応じて、視聴者の好みに合う状態で映像／音声を楽しみたい場合には、視聴者は、映像のコントラスト、カラー、音量、音質等をマニュアルで調整している。また、テレビジョン受像機の映像、音質等を自動調整するものとして、以下のものが知られている。
【０００３】
特許文献１には、放送局ごとの音量／カラー調整値が異なるという問題を解決するために、全放送局共通の音量／カラー調整の共通値と放送局ごとの音量／カラー調整の補正値とを記憶させ、局番を切り替えた際に音量／カラー調整の共通値に当該放送局の音量／カラー調整の補正値を加算し、加算結果に基づいて音量／カラー調整が自動的に行われることが示されている。また、特許文献２には、視聴者が放送番組のジャンルに応じて最適の音質／画質で視聴できるように、放送信号中からジャンルコードを検出し、ジャンルコードごとに予め設定されている制御データにより音質／画質が自動調整されることが示されている。
【０００４】
【特許文献１】特開平９−３７１７４号公報（段落０００４〜段落０００７、図１）
【特許文献２】特開平６−１３３２３８号公報（段落０００９〜段落００１３、図１）
【発明の開示】
【発明が解決しようとする課題】
【０００５】
しかしながら、上記従来のものにおいては、記録媒体を交換する度にコントラスト等をマニュアルで調整しなければならないという問題がある。また、特許文献１、２に示されるものにおいては、記録媒体が交換されたときのことは考慮されておらず、全てが一律に自動調整されるために装置としての柔軟性に欠けるという問題がある。
【０００６】
本発明は、上記問題点を解決するものであって、その課題とするところは、記録媒体であるディスクが交換された場合に、映像／音声の出力が自動調整され、さらに自動調整のできない状況においては、視聴者との協働により視聴者の好みに調整された映像／音声に自動調整されるディスク装置一体型テレビジョン受像機を提供することにある。
【課題を解決するための手段】
【０００７】
本発明は、ディスク装置とテレビジョン受像機とからなるディスク装置一体型テレビジョン受像機において、テレビジョン受像機の記憶部にディスクの種別ごとの映像および／または音声の調整値と、放送信号の映像および音声の調整値とを記憶させる。そして、ディスク装置の制御部は、再生されるディスクの種別を判別し、ディスクの種別をテレビジョン受像機の制御部に送信する。このディスクの種別を受信したテレビジョン受像機の制御部は、受信したディスク種別に対応する記憶部中の調整値に基づいて映像および／または音声の出力を調整する。つまり、映像出力部および／または音声映像出力部の出力を調整する。一方、放送信号の出力中においては、記憶部中の放送信号の調整値に基づいて映像および音声の出力を調整する。
【０００８】
このようにすることで、再生されるディスクの映像および／または音声は、その種別に応じて視聴者の好みの映像および／または音声となるように自動調整される。また、放送信号が出力されるときも同様に映像および音声の出力が自動調整される。
【０００９】
また、本発明は、ディスク装置とテレビジョン受像機とからなるディスク装置一体型テレビジョン受像機において、記憶部にディスクの種別ごとの映像および／または音声の調整値を記憶させる。そして、制御部は、再生されるディスクの種別を判別し、判別されたディスクの種別に対応する記憶部中の調整値に基づいて映像および／または音声の出力を調整する。このようにすることで、再生されるディスクの映像および／または音声は、その種別に応じて視聴者の好みの映像および／または音声となるように自動調整される。
【００１０】
本発明においては、記憶部に更に特定の種別のディスクのデータ種別ごとの映像および／または音声の調整値を記憶させる。そして、判別されたディスクの種別が特定の種別である場合には、制御部は、ディスク種別の調整値またはデータ種別に対応する調整値のいずれかに基づいて映像および／または音声の出力を調整する。このようにすることで、あるディスクに複数のデータ種別がある場合には、データ種別ごとに木目細かく映像および／または音声の出力が視聴者の好みに合わせて自動調整される。また、木目細かい調整が必要とされない場合には、ディスクの種別に基づいて映像および／または音声の出力が自動調整される。
【００１１】
また、この場合、制御部は複数のデータ種別を表すメッセージを映像出力部に表示し、操作部により指定されたデータ種別に対応する調整値に基づいて映像および／または音声の出力を調整する。このようにすることで、ディスク装置で自動認識されないデータ種別に対しても、映像および／または音声の出力が視聴者の好みに合わせて自動調整される。
【００１２】
また、本発明においては、記憶部に更に複数のディスクのシリアル番号とシリアル番号ごとの映像および／または音声の調整値を記憶させる。そして、制御部は再生されるディスクのシリアル番号と記憶部中のシリアル番号とを照合し、両シリアル番号が一致する場合には当該シリアル番号の調整値に基づいて映像および／または音声の出力を調整する。このようにすることで、シリアル番号を有するディスク種別においては、ディスク種別よりも木目細かいレベルであるシリアル番号に応じて、映像および／または音声の出力が自動調整される。
【００１３】
また、この場合、制御部は、各シリアル番号の履歴を管理し、新たなシリアル番号を記憶部に登録する際には、履歴に基づいて記憶部から所定のシリアル番号および当該シリアル番号に対応する調整値を削除する。
【発明の効果】
【００１４】
本発明によれば、ディスク装置一体型テレビジョン受像機においてディスクが交換された場合に、映像／音声の出力が自動調整され、さらに自動調整のできない状況においては、視聴者との協働により視聴者の好みに調整された映像／音声に自動調整される。
【発明を実施するための最良の形態】
【００１５】
図１は、本発明に係るディスク装置一体型テレビジョン受像機１のブロック図である。本ディスク装置一体型テレビジョン受像機１は、ディスク装置２とテレビジョン受像機４とから構成される。まず、ディスク装置２の構成について説明する。このディスク装置２は、ＤＶＤ、ＣＤ、ＶＣＤ（ビデオＣＤ）、ＳＶＣＤ（スーパービデオＣＤ）等の各種の記録媒体であるディスク３０を再生し、書き込み可能なディスク３０の記録も行うことができる。尚、ＤＶＤにも、映画等が記録されている書き込みのできない通常のＤＶＤ、再書き込み可能なＤＶＤ＋ＲＷ、ＤＶＤ−ＲＡＭ等があり、ＣＤにもＣＤ−ＤＡ、カラオケＣＤ等の各種ＣＤがある。
【００１６】
アンテナ１１で受信された放送信号は、チューナ２１で選局され、信号選択部２２に送られる。信号選択部２２では、ＣＰＵ２４からの信号により、放送信号または外部入力端子１２からの信号のいずれか一方が選択され、記録信号処理部３２に送られる。記録信号処理部３２では、入力信号がＡ／Ｄ変換され、ディスク３０の種別に従って、例えばＭＰＥＧ−２方式により符号化される。符号化された信号は、記録再生部３１においてディスク３０に記録される。
【００１７】
記録再生部３１は、ディスク３０を戴置して搬入出するためのトレイ、ディスク３０にデータを記録するための記録ヘッド、ディスク３０のデータを再生するための再生ヘッドおよび記録再生の際にディスク３０を回転させるための回転駆動機構等から構成される。また、記録再生部３１にはセンサが設けられており、ＣＰＵ２４からディスク３０の有無、トレイの状態等を調べることができるようになっている。また、ディスク３０のヘッダー部のデータ、例えばＴＯＣ（Table Of Contents）等が、記録再生部３１を介してＣＰＵ２４により読み出されることにより、ディスク３０の種別が判別される。また、ヘッダー部にシリアル番号が格納されているディスク３０においては、それもＣＰＵ２４により読み出される。記録再生部３１で再生されたディスク３０のデータは、再生信号処理部３３でディスク３０の種別に応じた方式で復号化され、その後Ｄ／Ａ変換されてＯＳＤ処理部２３に送られる。
【００１８】
本ディスク装置２は、ディスク３０の有無、トレイの状態、ディスク３０の再生時間等の視聴者に対する各種メッセージをディスク３０の再生データに重畳させて表示するオンスクリーン表示（以下、ＯＳＤという）機能を備えている。メモリー２５中のＯＳＤのデータがＣＰＵ２４により取り出されてＯＳＤ処理部２３に送られ、そこで再生データに重畳されてテレビジョン受像機４の信号選択部４２に送られる。
【００１９】
ＣＰＵ２４にはメモリー２５が接続されている。メモリー２５には、ディスク装置２の動作を制御するためのプログラム、上述のＯＳＤデータ、放送信号をディスク３０に記録するときに使用するデータ（局番、記録開始時刻、記録時間等）、各種の制御データ等が格納されている。また、メモリー２５はＣＰＵ２４の演算作業領域としても使用される。
【００２０】
次に、テレビジョン受像機４の構成について説明する。アンテナ１１で受信された放送信号は、チューナ４１で選局され、信号選択部４２に送られる。信号選択部４２では、ＣＰＵ４４からの信号により、放送信号、外部入力端子１２からの信号またはディスク装置２のＯＳＤ処理部２３からの信号のいずれかが選択される。信号選択部４２の出力信号はＯＳＤ処理部４３に送られ、ここでＣＰＵ４４から送られてくるＯＳＤデータが重畳される。このＯＳＤデータは、メモリー４５に格納されており、ＣＰＵ４４を介してＯＳＤ処理部４３に送られる。上記重畳された信号は、映像信号処理部５１に送られ、そこで音声信号と、映像信号、水平走査信号および垂直走査信号とに分離される。音声信号は音声アンプ５２で増幅されて音声出力部５３（例えば、スピーカ）から出力される。映像関連の信号は、ＣＲＴ駆動部５４を介して映像出力部５５（例えば、ＣＲＴ）送られる。
【００２１】
操作部５６は、ディスク装置一体型テレビジョン受像機１の不図示の前面パネルに設けられた複数の操作キーおよび多数の操作キーを備えた不図示のリモートコントローラからなる。操作キーには、ディスク装置２の操作専用のキー、テレビジョン受像機４の操作専用のキーおよび両者で共用されるキーがあり、いずれかの操作キーが押されると信号がＣＰＵ４４に送られ、操作キーの種類に応じた処理が行われる。また、ＣＰＵ４４にはメモリー４５が接続されている。メモリー４５には、本発明にかかる後述の映像および音声の調整値、テレビジョン受像機４の動作を制御するためのプログラム、上述のＯＳＤデータおよび各種の制御データ等が格納されている。また、メモリー４５はＣＰＵ４４の演算作業領域としても使用される。
【００２２】
次に、本発明にかかる映像および音声の調整値について説明する。図２は、メモリー４５に記憶されている映像および音声の調整値を示す図である。図２に示される「コントラスト」、「ブライト」、「シャープネス」、「ティント」、「カラー」は映像の調整対象である。「音量」は、音声の調整対象であり、実際は、音質の各調整要素および音量からなるが、説明の便宜上、「音量」で表している。「現在値」（図２のＣＲ−Ｃ〜ＣＲ−Ｖ）は、現在の調整値であり、メモリー４５から読み出された現在値がＣＲＴ駆動部５４および音声アンプ５２に送られ、その値によって映像および音声の出力が調整される。「標準値」（図２のＳＴ−Ｃ〜ＳＴ−Ｖ）は、ディスク３０の再生データおよび放送信号の出力の標準的な値であり、所定の操作手順でディスク装置一体型テレビジョン受像機１が初期化されたとき（以下、「初期化処理」という）に、デフォルト値に設定される。尚、「種別等」の列の「現在値」、「標準値」および「テレビ」は、説明の都合上図示されているが、メモリー領域は割り当てられていない。
【００２３】
「テレビ」は、標準値に対する放送信号の補正値であり、放送信号の出力が開始されたときに、標準値に当該補正値（図２のＣ０〜Ｖ０）が加算されて「現在値」に格納され、その後は現在値に従って映像および音声の出力が調整される。また、リモートコントローラのキーが操作されることにより映像および／または音声の出力が調整されると、それに従って、現在値の内、キー操作に関連する値が増減される。例えば、コントラストの調整操作が行われた場合には、コントラストの現在値が増減される。そして、一定の周期（例えば、１分間隔）で、現在値から標準値が減算された値により、テレビの補正値が更新（置換）される。また、より確実にテレビの補正値が更新されるように、放送信号からディスク３０の再生に切り替えられた場合にも、上記の更新が行われる。尚、各補正値は、初期化処理により０にされている。
【００２４】
「種別１〜４」は、本ディスク装置２で再生されるＤＶＤ等のディスク３０の種別である。ディスク３０の再生中は、標準値に当該種別に該当する種別の補正値（例えば、図２のＣ３〜Ｖ３）が加算されて「現在値」に格納され、現在値に従って映像および音声の出力が調整される。リモートコントローラのキー操作により現在値が調整（増減）される点、一定の周期で現在値から標準値が減算された値により、当該種別の補正値が更新される点、および初期化処理により補正値が０にされる点は、「テレビ」の場合と同じである。より確実に当該種別の補正値が更新されるように、停止キー等の操作により、ディスク３０の再生が中止された場合にも、上記の補正値の更新が行われる。また、初期化処理により「種別１〜４」の欄にはコード化されたディスク３０の種別が格納される。
【００２５】
「特定種別１，２」は、上記種別１〜４の内の特定のディスク３０の種別（例えば、ＤＶＤ）である。例えば、ＤＶＤには洋画、邦画、アニメ等の各種の内容（これをデータ種別という）の映画が記録されている。図２では、特定種別１には３つのデータ種別が含まれるとして、データ種別に対応して３種類の補正値がメモリー４５に記憶されている。また、特定種別２には２つのデータ種別が含まれるとして、データ種別に対応して２種類の補正値がメモリー４５に記憶されている。
【００２６】
特定種別のディスク３０が再生される場合、ディスク３０が特定種別１であるときは３つの補正値のうちのいずれか（例えば、図２のＣ６〜Ｖ６）が、ディスク３０が特定種別２であるときは２つの補正値のうちのいずれか（例えば、図２のＣ８〜Ｖ８）が標準値に加算されて「現在値」に格納され、現在値に従って映像および音声の出力が調整される。複数の補正値から１つの補正値が選択（指定）される手順については後述する。リモートコントローラのキー操作により現在値が調整（増減）される点、一定の周期で又は再生中のディスク３０が停止した場合に当該データ種別の補正値が更新される点、および初期化処理により補正値が０にされる点は、「種別１〜４」の場合と同じである。また、初期化処理により「特定種別１，２」の欄にはコード化されたディスク３０の種別が格納される。
【００２７】
また、初期化処理により、特定種別１，２のメッセージ１Ａ，１Ｂ，１Ｃおよびメッセージ２Ａ，２Ｂもデフォルトメッセージに設定されるが、映像表示部に平仮名、数字等を表示した状態で、リモートコントローラの操作キーにより文字を選択して漢字変換した結果を該当する記憶部に記憶させることにより、デフォルトメッセージを視聴者の好みの（または、識別の容易な）メッセージに置き換えることもできる。このメッセージの使われ方については後述する。尚、図２では特定種別が２つで、夫々の特定種別のデータ種別が夫々３つ、２つであることが示されているが、これは単なる例示であり、これに限定されるものではない。
【００２８】
「シリアル番号１〜５」は、上記種別１〜４の内、ディスク３０のヘッダー部にシリアル番号を有するもの（例えば、ＤＶＤ）のシリアル番号である。この領域に登録されるシリアル番号と同じシリアル番号を有するディスク３０が再生される場合、当該シリアル番号の補正値（例えば、図２のＣ１２〜Ｖ１２）が標準値に加算されて「現在値」に格納され、現在値に従って映像および音声の出力が調整される。リモートコントローラのキー操作により現在値が調整（増減）される点、一定の周期で又は再生中のディスク３０が停止した場合に当該シリアル番号の補正値が更新される点、および初期化処理により補正値が０にされる点は、「種別１〜４」の場合と同じである。また、初期化処理により「シリアル番号１〜５」の欄には０が格納される。シリアル番号１〜５の「履歴」については、後述する。尚、図２では５つのシリアル番号の登録領域が確保されているが、これは単なる例示であり、これに限られるものではない。尚、標準値と種別１等の補正値とが加算された値が、本発明の調整値に相当する。
【００２９】
次に、フローチャートを用いて本ディスク装置一体型テレビジョン受像機１の動作を説明する。図３は、ディスク装置２側の動作を示すフローチャートである。図４は、テレビジョン受像機４側の動作を示すフローチャートである。尚、これらのフローチャートでは、ディスク装置一体型テレビジョン受像機１全体の動作ではなく、本発明にかかる部分の動作が主に示されている。
【００３０】
まず、図３について説明する。電源が投入されると、記録再生部３１のトレイに新たにディスク３０がセットされて、再生可能な状態になったか否かが調べられる（Ｓ１）。再生可能な状態になった場合は、ＣＰＵ２４は、ディスク３０のヘッダー部からディクス種別を読み出してメモリー２５に記憶する。また、そのディスク３０がシリアル番号を有する場合には、同様にしてシリアル番号もメモリー２５に記憶する（Ｓ２）。その後、Ｓ１に戻る。
【００３１】
Ｓ１でディスクが新たにセットされて再生可能になったと判断されなかった場合には、操作部５６で再生キーが押されたか否かが調べられる（Ｓ３）。本実施形態では、操作部５６はテレビジョン受像機４側のＣＰＵ４４に接続されているので、ディスク装置２側のＣＰＵ２４がテレビジョン受像機４側のＣＰＵ４４から受信したキーの情報を参照して、再生キーが押されたか否かが調べられる。再生キーが押された場合には、ＣＰＵ２４から記録再生部３１に信号が送られ、再生が開始される（Ｓ４）。その後、メモリー２５中のディスク種別がテレビジョン受像機４側のＣＰＵ４４に送信される（Ｓ５）。そして、シリアル番号がメモリー２５に記憶されている場合は、シリアル番号も同様に送信される（Ｓ６、Ｓ７）。その後、Ｓ１に戻る。
【００３２】
Ｓ３で再生キーが押されたと判断されなかった場合には、停止キーまたはイジェクトキーが押されたか否かが調べられる（Ｓ８）。押された場合には、ディスク３０の再生動作が停止され（Ｓ９）、更新指示コマンドがテレビジョン受像機４側のＣＰＵ４４に送信される（Ｓ１０）。更新指示コマンドについては後述する。その後、Ｓ１に戻る。また、Ｓ８で停止キー等が押されたと判断されなかった場合には、その他の処理（例えば、ＤＶＤ−ＲＡＭへの録画の予約の処理）が行われて（Ｓ１１）、Ｓ１に戻る。
【００３３】
次に、図４を参照しつつ、テレビジョン受像機４側の動作を説明する。まず、電源が投入されると、図３のＳ５で送信されたディスク種別が受信されたか否かが調べられる（Ｓ２１）。受信された場合には、図３のＳ７で送信されたシリアル番号が受信されたか否かが調べられる（Ｓ２２）。シリアル番号が受信された場合には、シリアル番号の処理が特定種別の処理に優先されるか否かが調べられる（Ｓ２３）。このような判断がなされるのは、ディスク３０の種別が特定種別であり、且つそのディスク３０がシリアル番号を有する場合に、いずれの処理を優先させるかを決めるためである。この判断を行うために、メモリー４５中の制御データの一部に、いずれを優先させるかの情報が予め設定されている。シリアル番号の処理が優先される場合には、受信したシリアル番号がメモリー４５中に登録されているか否かが調べられ（Ｓ２４）、登録されていない場合には、当該シリアル番号がメモリー４５に登録される（Ｓ２５）。
【００３４】
シリアル番号の登録は以下のように行われる。まず、メモリー４５のシリアル番号の登録領域に空き領域があるかを調べ、空き領域がある場合には、そこに当該シリアル番号が登録される。このとき、当該シリアル番号の各補正値は０に初期化される。空き領域がない場合には、各シリアル番号の履歴欄の情報を調べ、優先度の最も低いシリアル番号の領域が開放され、そこに受信したシリアル番号の領域が割り当てられる。このように、シリアル番号が履歴に基づいて管理されているので、視聴者が繰り返し再生するディスク３０のシリアル番号がメモリー４５中に残る。この結果、メモリー４５に登録されているシリアル番号の補正値により映像等の出力が自動調整される確率が高くなる。つまり、自動調整により視聴者が好みの映像および音声でディスク３０の視聴を楽しめる確率が高くなる。
【００３５】
履歴の管理は、例えば、以下のように行われる。あるシリアル番号の補正値が使用されて映像等の出力の調整が行われる度に、その開始または終了の日時が当該シリアル番号の履歴欄に記憶される（例えば、図２の履歴５に「２００３年１月１日１２時３０分」と記憶される）。そして、シリアル番号が新たに登録される際に空き領域がなければ、最も履歴欄の日時の古いシリアル番号の領域が開放される。または、一定期間において、登録されている各シリアル番号の補正値が使用された回数を履歴欄に集計し、シリアル番号が新たに登録される際に、最も使用された回数の少ないシリアル番号の領域が開放されるようにしてもよい。つまり、新たにシリアル番号が登録される際に、どのシリアル番号の領域が開放される（シリアル番号が削除される）かは、登録されている各シリアル番号の履歴に基づいて決められる。
【００３６】
Ｓ２４，Ｓ２５の後、受信したシリアル番号の補正値が映像および音声の調整値として使用される（Ｓ２６）。つまり、標準値に当該シリアル番号の補正値が加算された値が現在値に設定され、「現在値」により映像および音声の出力が調整される。ディスク３０の再生中に視聴者等がリモートコントローラのキーを操作することによりコントラスト、音量等を変更した場合には、その変更は、「現在値」のコントラスト、音量等の値にタイムリーに反映される。また一定の周期（例えば、１分間隔）で現在値から標準値が減算された値により、当該シリアル番号の各補正値が更新（置換）される。これにより、当該シリアル番号のディスク３０が再度再生される場合には、視聴者によって調整された当該シリアル番号の補正値がメモリー４５から読み出され、それが標準値に加算され、その値に基づいて映像等の出力が自動的に調整されることになる。
【００３７】
Ｓ２２でシリアル番号を受信したと判断されなかった場合、およびＳ２３でシリアル番号が特定種別に優先すると判断されなかった場合には、受信したディスク３０の種別が特定種別であるか否かが調べられる（Ｓ２７）。この判断は、受信したディスク３０の種別がメモリー４５に記憶されている特定種別１または２（図２参照）と同じであるかを調べることによって行われる。次に、特定種別のメモリー４５に記憶されているメッセージがＯＳＤとして映像出力部５５に表示される（Ｓ２８）。特定種別１である場合にはメッセージ１Ａ，１Ｂ，１Ｃが表示され、特定種別２である場合にはメッセージ２Ａ，２Ｂが表示される。図５は、ディスク種別が特定種別１である場合に映像出力部５５に表示されるメッセージの例を示す図である。尚、図中の斜線部は、再生されているディスク３０からの映像である。
【００３８】
この後、視聴者がリモートコントローラのキーを操作することにより、３つのメッセージのいずれかが選択されるか、または「ディスクの種別に従う」が選択される。その後、いずれかのメッセージが指定（選択）されたか否かを調べ（Ｓ２９）、指定された場合には、当該特定種別の指定されたメッセージに対応する補正値が使用される（Ｓ３０）。つまり、その補正値が標準値に加算されて「現在値」に設定され、現在値により映像等の出力が調整される。例えば、メッセージ１Ｂが指定された場合には、図２のＣ６〜Ｖ６が補正値として使用される。
【００３９】
このように視聴者の判断に委ねて補正値を指定（選択）させているのは、例えば、ＤＶＤに記録されている映画の内容が洋画、邦画、アニメのいずれであるかを、またはアクション物、恋愛物、コメディーのいずれであるかを、つまりディスク３０のデータ種別を自動的に判断できないからである。上記のようにすることで、データ種別に応じて補正値を指定することが可能となり、視聴者によって映像等の出力が調整された、あるデータ種別の補正値を同じデータ種別の他のＤＶＤの映画を視聴する際に利用することができる。そして、利用される場合には、映像等の出力は自動調整されることになる。
【００４０】
Ｓ２９でいずれのメッセージも選択されなかった場合（「ディスクの種別に従う」が選択された場合）、およびＳ２７で特定種別であると判断されなかった場合には、受信されたディスク種別と同じ種別の種別１〜４のいずれかの補正値が使用される（Ｓ３１）。つまり、当該種別の補正値が標準値に加算されて「現在値」に設定され、現在値により映像等の出力が調整される。
【００４１】
Ｓ２１でディスク種別を受信したと判断されなかった場合には、ディスク装置２側のＣＰＵ２４から更新指示のコマンドを受信したか否かが調べられる（Ｓ３２）。受信した場合、「現在値」に格納されている値から標準値が減算され、減算結果が該当する補正値の領域に格納されることにより、補正値が更新（置換）される。例えば、種別３のディスク３０の再生中に停止キーが押された場合には、上記減算結果は種別３の補正値の領域に格納される。尚、ディスク種別、シリアル番号等のデータは、それらが受信されたときにメモリー４５中の制御データの一部に記憶され、このデータがＳ３３で使用される。また、Ｓ３２で更新指示のコマンドを受信したと判断されなかった場合には、他の処理（本発明と直接関係のない処理、例えば、放送信号のチャンネル切り替え等）が行われる。Ｓ２６，Ｓ３０，Ｓ３１，Ｓ３３，Ｓ３４の終了後、Ｓ２１に戻る。
【００４２】
以上述べた実施形態においては、ディスク装置２側、テレビジョン受像機４側に夫々ＣＰＵ２４、４４およびメモリー２５，４５を持たせ、夫々で機能を分担する場合について説明したが、ＣＰＵおよびメモリーを１つとしても本発明を実施することができる。また、上記実施形態では、映像および音声の出力を調整する場合について説明したが、いずれか一方のみを調整する場合にも本発明を適用することができる。
【００４３】
また、上記実施形態では、メモリーに標準値と各ディスク３０の種別等に対応させて補正値を持たせ、両者を加算した結果を調整値（現在値）とする方式について説明したが、標準値を持たせることなく、各ディスクの種別等に対応させて調整値そのものを持たせるようにしてもよい。
【００４４】
さらに、上記実施形態では、シリアル番号を有し、且つ特定種別であるディスク種別については、設定条件に従って両者の優先度を判断する場合について説明したが、設定条件に従うことなく、いずれか一方の優先度が高いと規定して処理を行うこともできる。    
【図面の簡単な説明】
【００４５】
【図１】本発明に係るディスク装置一体型テレビジョン受像機のブロック図である。
【図２】メモリーに記憶されている映像および音声の調整値を示す図である。
【図３】ディスク装置側の動作を示すフローチャートである。
【図４】テレビジョン受像機側の動作を示すフローチャートである。
【図５】ディスク種別が特定種別である場合に、映像出力部に表示されるメッセージの例を示す図である。
【符号の説明】
【００４６】
１    ディスク装置一体型テレビジョン受像機
２    ディスク装置
４    テレビジョン受像機
２４，４４  ＣＰＵ（制御部）
２５，４５  メモリー（記憶部）
３０  ディスク
５３  音声出力部
５５  映像出力部
５６  操作部
【図１】
2005191927.tif 000003
【図２】
2005191927.tif 000004
【図３】
2005191927.tif 000005
【図４】
2005191927.tif 000006
【図５】
2005191927.tif 000007